(57)【要約】【課題】  動画撮影や連写撮影の撮影時にアスペクト比を容易に切り替えて撮影する工夫が施された電子カメラを提供する。【解決手段】  本発明の電子カメラは、撮像素子と、光学素子と、光学素子制御部と、補間処理部と、撮影モード切替部と、画像記録部とを備える。光学素子は、撮像素子に対向する位置に配置された、撮影範囲の縦横比を表す第１アスペクト比から撮像素子の撮像面の縦横比を表す第２アスペクト比に前記被写体像を圧縮する。光学素子制御部は、光学素子の光軸に垂直な面内で、その光学素子を所定の角度分回転させることにより、第１アスペクト比を変更自在とする。補間処理部は、撮像素子で生成された第２アスペクト比の画像を第１アスペクト比の画像に伸長する。光学素子制御部は、動画撮影モード若しくは連写撮影モードの撮影時には、光学素子を連続的若しくは間欠的に回転させることにより第１アスペクト比を変更させる。【選択図】    図２
2009200792.tif 000002
【特許請求の範囲】
【請求項１】
被写体像を撮像して画像を生成する撮像素子と、
前記撮像素子に対向する位置に配置された、撮影範囲の縦横比を表す第１アスペクト比から前記撮像素子の撮像面の縦横比を表す第２アスペクト比に前記被写体像を圧縮する光学素子と、
前記光学素子の光軸に垂直な面内で、該光学素子を所定の角度分回転させることにより、前記第１アスペクト比を変更自在とする光学素子制御部と、
前記撮像素子で生成された前記第２アスペクト比の画像を前記第１アスペクト比の画像に伸長する補間処理部と、
所定の時間間隔で連続的に静止画像を撮影する連写撮影モードと、動画像を撮影する動画撮影モードとを含む複数の撮影モードの中から任意の撮影モードに切り替える撮影モード切替部と、
前記動画像及び前記静止画像を記録する画像記録部と、を備え、
前記光学素子制御部は、前記動画撮影モード若しくは前記連写撮影モードの撮影時には、前記光学素子を連続的若しくは間欠的に回転させることにより前記第１アスペクト比を変更させることを特徴とする電子カメラ。
【請求項２】
請求項１に記載の電子カメラにおいて、
前記光学素子制御部は、前記連写撮影モードの撮影時には、前記静止画像が撮影されるたびに前記光学素子を所定角度ずつ回転させることを特徴とする電子カメラ。
【請求項３】
請求項１に記載の電子カメラにおいて、
前記動画像若しくは前記静止画像を表示する表示部をさらに備え、
前記表示部は、前記連写撮影モードで撮影された前記静止画像を、複数の縮小画像からなるサムネイル画像として表示することを特徴とする電子カメラ。
【請求項４】
請求項３に記載の電子カメラにおいて、
前記画像記録部は、前記サムネイル画像のもととなる本画像のうち、全ての画像若しくは任意の画像を記録することを特徴とする電子カメラ。
【請求項５】
請求項１に記載の電子カメラにおいて、
前記カメラの姿勢を検出する姿勢検出部と、
前記カメラの姿勢変化に伴って、前記光学素子の予め定められた基準となる面と重力方向とのなす角度を算出する角度演算部と、をさらに備え、
前記光学素子制御部は、
前記姿勢検出部の検出結果と、前記角度演算部の算出結果に基づいて、前記カメラの姿勢変化に拘わらず前記面が前記重力方向と垂直になる姿勢を保つように、前記光学素子を制御することを特徴とする電子カメラ。
【発明の詳細な説明】
【技術分野】
【０００１】
本発明は、アスペクト比を変更するレンズを備えた電子カメラに関する。
【背景技術】
【０００２】
従来より、ワイド画像（アスペクト比＝１６：９）やパノラマ画像（アスペクト比＝８：３）等を得る手段として、通常の画像（アスペクト比＝４：３）を横長の画像に切り出して撮影する方法が知られている。
【０００３】
しかしながら、上記方法では、本来の画像範囲の一部を利用するため画質が悪くなるおそれがある。そのため、撮像素子の本来の撮像範囲を有効利用できないという問題がある。
【０００４】
そこで、通常の画像（アスペクト比＝４：３）を横長に切り出さないで済む電子カメラが提案されている（例えば、特許文献１参照）。
【０００５】
特許文献１に開示された電子カメラには、通常の画像をワイド画像に切り替えるシリンドリカルレンズが光軸に対して挿抜可能に設けられている。これにより、特許文献１に開示された電子カメラは、通常の画像を横長に切り出すことになく、ワイド画像を得ることができる。
【特許文献１】特開２００５−６２５３１号公報
【発明の開示】
【発明が解決しようとする課題】
【０００６】
しかしながら、特許文献１に開示された電子カメラでは、動画撮影や連写撮影の撮影時にアスペクト比を切り替えて撮影をしたい場合、シリンドリカルレンズの挿抜に時間を要する。そのため、途中で画像が乱れるなどの不具合が生じるおそれがある。
【０００７】
また、動画撮影や連写撮影の撮影時にユーザがアスペクト比を切り替えて撮影することは、従来一般には行われていないが、例えば、ユーザが動画撮影中にアスペクト比を切り替えて撮影すると、演出効果が加えられた動画を得ることが期待できる。
【０００８】
本発明は、上記事情に鑑み、動画撮影や連写撮影の撮影時にアスペクト比を容易に切り替えて撮影する工夫が施された電子カメラを提供することを目的とする。
【課題を解決するための手段】
【０００９】
第１の発明に係る電子カメラは、撮像素子と、光学素子と、光学素子制御部と、補間処理部と、撮影モード切替部と、画像記録部とを備える。撮像素子は、被写体像を撮像して画像を生成する。光学素子は、撮像素子に対向する位置に配置された、撮影範囲の縦横比を表す第１アスペクト比から撮像素子の撮像面の縦横比を表す第２アスペクト比に前記被写体像を圧縮する。光学素子制御部は、光学素子の光軸に垂直な面内で、その光学素子を所定の角度分回転させることにより、第１アスペクト比を変更自在とする。補間処理部は、撮像素子で生成された第２アスペクト比の画像を第１アスペクト比の画像に伸長する。撮影モード切替部は、所定の時間間隔で連続的に静止画像を撮影する連写撮影モードと、動画像を撮影する動画撮影モードとを含む複数の撮影モードの中から任意の撮影モードに切り替える。画像記録部は、動画像及び静止画像を記録する。光学素子制御部は、動画撮影モード若しくは連写撮影モードの撮影時には、光学素子を連続的若しくは間欠的に回転させることにより第１アスペクト比を変更させる。
【００１０】
第２の発明は、第１の発明において、光学素子制御部は、連写撮影モードの撮影時には、静止画像が撮影されるたびに光学素子を所定角度ずつ回転させる。
【００１１】
第３の発明は、第１の発明において、動画像若しくは静止画像を表示する表示部をさらに備え、表示部は、連写撮影モードで撮影された静止画像を、複数の縮小画像からなるサムネイル画像として表示する。
【００１２】
第４の発明は、第３の発明において、画像記録部は、サムネイル画像のもととなる本画像のうち、全ての画像若しくは任意の画像を記録する。
【００１３】
第５の発明は、姿勢検出部と、角度演算部と、をさらに備える。姿勢検出部は、カメラの姿勢を検出する。角度演算部は、カメラの姿勢変化に伴って、光学素子の予め定められた基準となる面と重力方向とのなす角度を算出する。光学素子制御部は、姿勢検出部の検出結果と、角度演算部の算出結果に基づいて、カメラの姿勢変化に拘わらず上記面が重力方向と垂直になる姿勢を保つように、光学素子を制御する。
【発明の効果】
【００１４】
本発明の電子カメラによれば、動画撮影や連写撮影の撮影時にアスペクト比を容易に切り替えて撮影することができる。これにより、ユーザの利便性が向上する。
【発明を実施するための最良の形態】
【００１５】
（第１実施形態）
＜電子カメラの構成の説明＞
以下、図面に基づいて本発明の実施の形態を詳細に説明する。
【００１６】
図１は、第１実施形態の電子カメラの正面図及び背面図である。図１（ａ）は正面図、図１（ｂ）は背面図を示している。図１（ａ）に示す通り、電子カメラ１の前面には、後述する撮影光学系１０が備えられている。また、電子カメラ１の上面には、レリーズボタン２３ａが備えられている。
【００１７】
また、図１（ｂ）に示す通り、電子カメラ１の背面には、液晶表示モニタ２２と、広角ズームキー２３ｂと、望遠ズームキー２３ｃと、電源ボタン２３ｄと、モードスイッチ２３ｅと、メニュー切替・実行キー２３ｆとが備えられている。液晶表示モニタ２２は、静止画像、動画及び電子カメラ１の操作メニュー等を表示する。広角ズームキー２３ｂは、焦点距離を広角側に変更するための操作ボタンである。望遠ズームキー２３ｃは、焦点距離を望遠側に変更するための操作ボタンである。モードスイッチ２３ｅは、撮影モードを静止画撮影または動画撮影などに切り替える操作ボタンである。メニュー切替・実行キー２３ｆは、静止画撮影や動画撮影などに使用されるメニューを自在に切り替えて設定条件を選択若しくは実行する操作ボタンである。なお、撮影モードが、静止画撮影の場合は、通常、１枚の静止画像の撮影を行う設定になっている。ただし、メニュー切替・実行キー２３ｆにて、所定の時間間隔で連続的に静止画像を撮影する連写撮影モードにすることができる。
【００１８】
図２は、第１実施形態の電子カメラの構成を示すブロック図である。図２に示す通り、電子カメラ１には、撮影光学系１０と、撮影レンズ制御部１１と、シリンドリカルレンズ制御部１２、エンコーダ（ＥＣ）１２ａと、撮像素子１３と、タイミングジェネレータ（ＴＧ）１４と、アナログフロントエンド部(以下、「ＡＦＥ」という。）１５と、画像処理部１６と、ＲＡＭ（Ｒａｎｄｏｍ  Ａｃｃｅｓｓ  Ｍｅｍｏｒｙ）１７と、ＲＯＭ（Ｒｅａｄ  Ｏｎｌｙ  Ｍｅｍｏｒｙ）１８と、ＹＣ信号処理部１９と、ＶＲＡＭ（Ｖｉｄｅｏ  ＲＡＭ）２０、ビデオエンコーダ２１、液晶表示モニタ２２と、操作部２３と、ＣＰＵ（Ｃｅｎｔｒａｌ  ｐｒｏｃｅｓｓｉｎｇ  Ｕｎｉｔ）２４と、記録インターフェース（記録Ｉ／Ｆ）２５と、バス２６と、記録媒体２７とが備えられている。このうち画像処理部１６、ＲＡＭ１７、ＲＯＭ１８、ＹＣ信号処理部１９、ＶＲＡＭ（Ｖｉｄｅｏ  ＲＡＭ）２０、ビデオエンコーダ２１、ＣＰＵ２４及び記録インターフェース（記録Ｉ／Ｆ）２５は、バス２６を介して互いに接続されている。また、操作部２３はＣＰＵ２４に接続されている。
【００１９】
撮影光学系１０は、フォーカスレンズやズームレンズを含む複数の撮影レンズ１０ａとシリンドリカルレンズ１０ｂとで構成されている。なお、簡単のため、図２では、撮影光学系１０を２枚のレンズとして図示する。
【００２０】
撮影レンズ１０ａを構成する各々のレンズは、撮影レンズ制御部１１によって光軸方向に移動する。なお、撮影レンズ制御部１１の入出力はＣＰＵ２４と接続されている。
【００２１】
また、シリンドリカルレンズ１０ｂは、縦方向の結像倍率と横方向の結像倍率とが異なる光学素子である。このシリンドリカルレンズ１０ｂは、撮像素子１３に対向する位置に配置されている。また、このシリンドリカルレンズ１０ｂは、撮影範囲の縦横比を表す第１アスペクト比から撮像素子１３の撮像面の縦横比を表す第２アスペクト比に被写体像を圧縮する。
【００２２】
シリンドリカルレンズ制御部１２は、不図示の回転機構により、シリンドリカルレンズ１０ｂの光軸に垂直な面内で、シリンドリカルレンズ１０ｂを回転させる。これにより、シリンドリカルレンズ制御部１２は、第１アスペクト比を変更自在とする。
【００２３】
エンコーダ１２ａは、シリンドリカルレンズ１０ｂの回転角度を検出する。シリンドリカルレンズ制御部１２は、その回転角度に基づいてシリンドリカルレンズ１０ｂの回転を制御する（詳細は後述する）。
【００２４】
なお、シリンドリカルレンズ１０ｂは、一例であって、アナモフィックレンズを用いてもよい。このアナモフィックレンズも、シリンドリカルレンズ１０ｂと同様、縦方向の結像倍率と横方向の結像倍率とが異なる光学素子である。
【００２５】
撮像素子１３は、撮影光学系１０からの被写体像を光電変換することにより、画像信号（アナログ信号）を生成する。
【００２６】
図３は、第１アスペクト比とシリンドリカルレンズ１０ｂとの関係を説明する図である。また、図４は、シリンドリカルレンズ１０ｂの配置と電子カメラ１の筐体との関係を説明する図である。なお、図３に示すシリンドリカルレンズ１０ｂは、図４では正面図として描かれている。
【００２７】
図４（ａ）においては、説明をわかりやすくするため、電子カメラ１の下面１１とシリンドリカルレンズ１０ｂの下面１００ｂとが平行な位置関係にあるとき、シリンドリカルレンズ１０ｂが縦位置にあるとする。この状態を基準として、図２に示すシリンドリカルレンズ制御部１２は、不図示の回転機構により、シリンドリカルレンズ１０ｂの光軸に垂直な面内で、シリンドリカルレンズ１０ｂを、電子カメラ１を正面から見て時計回りに０から９０度の範囲で回転させる。なお、シリンドリカルレンズ１０ｂを縦位置の状態に戻すときには、シリンドリカルレンズ制御部１２は、シリンドリカルレンズ１０ｂを反時計回りに回す。これは、一例であって、シリンドリカルレンズ１０ｂを時計回りに回転させて縦位置の状態に戻してもよい。ここでは、縦位置がシリンドリカルレンズ１０ｂの回転角度０度に相当する。
【００２８】
また、図４（ｂ）においては、電子カメラ１の下面１１とシリンドリカルレンズ１０ｂの下面１００ｂが、垂直な位置関係にあるとき、シリンドリカルレンズ１０ｂが横位置にあるとする。この場合、横位置が、シリンドリカルレンズ１０ｂの回転角度９０度に相当する。
【００２９】
第１実施形態では、撮像素子１３の第２アスペクト比は固定にする。一方、撮影範囲の第１アスペクト比は、シリンドリカルレンズ１０ｂの回転により変動する。そのため、まず、撮像素子１３の第２アスペクト比を規定する必要が生じる。
【００３０】
そこで、以下に述べる計算により、撮像素子１３の第２アスペクト比を規定する。第１実施形態では、撮像素子１３の第２アスペクト比は、２種類の第１アスペクト比の積を求め、その積の平方根の値となるようにする。
【００３１】
具体的には、撮像素子１３の第２アスペクト比を規定するための２種類の第１アスペクト比は、図３（ａ）に示す、ワイド撮影時の第１アスペクト比（１６：９）と、図３（ｂ）に示す、通常撮影時の第１アスペクト比（４：３）とする。すると、撮像素子１３の第２アスペクト比は、１．５４：１となる。すなわち、撮像素子１３の第２アスペクト比は、以下のようにして求める。ここでは、（１６／９）を小数に換算してａ＝１．７７７、（４／３）を小数に換算してｃ＝１．３３３とすると、「ａ：ｂ＝ｂ：ｃ」となるようなｂは、ａ×ｃの平方根である１．５４と算出される。
【００３２】
撮像素子１３の第２アスペクト比が１．５４：１と規定されると、シリンドリカルレンズ１０ｂの縦方向の結像倍率と横方向の結像倍率が定まる。この結像倍率に基づいて、シリンドリカルレンズ１０ｂが製造されている。
【００３３】
なお、撮像素子１３の第２アスペクト比は、１．５４：１に限定されるものではなく、例えば、１：１や２：１であってもよい。この場合、縦位置、横位置における第１アスペクト比は、第２アスペクト比が１．５４：１の場合と異なる値となる。なお、図３、図４の詳細については、電子カメラ１の動作説明の際に後述する。
【００３４】
再び、図２に示す、電子カメラ１の構成を示すブロック図の説明に戻る。タイミングジェネレータ（ＴＧ）１４は、ＣＰＵ２４からの指示により撮像素子１３及びＡＦＥ１５の各々へ向けて駆動信号を送出し、それによって両者の駆動タイミングを制御する。
【００３５】
ＡＦＥ１５は、撮像素子１３が生成する画像信号に対して信号処理を施すアナログフロントエンド回路である。このＡＦＥ１５は、画像信号のゲイン調整や、画像信号のＡ／Ｄ変換などを行う。このＡＦＥ１５が出力するＲＧＢ信号の画像データは、画像処理部１６へ入力される。
【００３６】
画像処理部１６は、ＡＦＥ１５が出力するＲＧＢ信号の画像データをＲＡＭ１７のフレームメモリに記憶させる。そして、画像処理部１６は、後述する補間処理部２４ａによる画像処理が施された画像データに対してホワイトバランス補正処理、ゲインコントロール処理などの画像処理を施す。また、画像処理部１６はＲＧＢ信号の画像データを輝度（Ｙ）と色（Ｃ）とで表されるＹＣ信号の画像データに変換する。そして、画像処理部１６は、ＹＣ信号の画像データをＲＡＭ１７のフレームメモリに記憶させる。
【００３７】
ＹＣ信号処理部１９は、ＹＣ信号の画像データを例えば公知のＪＰＥＧ（Ｊｏｉｎｔ  Ｐｈｏｔｇｒａｐｈｉｃ  Ｅｘｐｅｒｔｓ  Ｇｒｏｕｐ）などの所定の圧縮処理を施して、再びＲＡＭ１７のフレームメモリに記憶させる。
【００３８】
ＶＲＡＭ２０は、液晶表示モニタ２２に表示する内容を一時的に保持しているメモリであり、Ａ領域、Ｂ領域の２つのバッファ領域を有している。
【００３９】
ビデオエンコーダ２１は、ＹＣ信号の画像データをＲＧＢ信号の画像データに変換する。ここで、ＶＲＡＭ２０では、低解像度のスルー画像データ（ＹＣ信号）が、Ａ領域、Ｂ領域へと交互に記憶される。ＶＲＡＭ２０に記憶されたスルー画像データは、古い時刻に記憶されたスルー画像データから先に、ビデオエンコーダ２１でＲＧＢ信号の画像データに所定のフレームレートで変換される。そして、液晶表示モニタ２２上ではスルー画像（ＲＧＢ信号）が表示される。
【００４０】
操作部２３は、電子カメラ１の各操作を受付けて、ＣＰＵ２４に処理の命令を出す。一例として、動画像を撮影する動画撮影モードや所定の時間間隔で連続的に静止画像の撮影を行う連写撮影モードなどの操作を受付けて、ＣＰＵ２４に処理の通知を出す。
【００４１】
ＣＰＵ２４は、電子カメラ１の統括的な制御を行うプロセッサである。ＣＰＵ２４は、ＲＯＭ１８に予め格納されたシーケンスプログラムを実行することにより、各処理のパラメータを算出したり、電子カメラ１の各部を制御したりする。また、第１実施形態のＣＰＵ２４は、補間処理部２４ａや画像記録部２４ｂとして機能する。
【００４２】
補間処理部２４ａは、撮像素子１３で生成された第２アスペクト比の画像を、シリンドリカルレンズ１０ｂによる圧縮率に応じて、第１アスペクト比の画像に伸長する。これにより、シリンドリカルレンズ１０ｂを介することによって圧縮された画像を、圧縮前の第１アスペクト比の画像に復元することができる。
【００４３】
画像記録部２４ｂは、動画像や静止画像を後述する記録インターフェース（記録Ｉ／Ｆ）２５を介して、記録媒体２７に記録する。
【００４４】
なお、画像記録部２４ｂは、動画データを例えば公知のモーションＪＰＥＧ形式に従って記録媒体２７に記録する。
【００４５】
モーションＪＰＥＧ形式では、画像処理部１６は、撮像素子１３から取得したＲＧＢの画像データを一旦ＲＡＭ１７のフレームメモリに記憶させた後、画像処理部１６で画像処理を施してＹＣ信号の画像データに変換する。そして、画像記録部２４ｂは、１画像内でＪＥＰＧ圧縮をかけながら、記録媒体２７に一定のフレームレートで静止画を連続的に記録していく。なお、動画のファイル形式は、モーションＪＥＰＧに限定されず、ＭＰＥＧ（Ｍｏｖｉｎｇ  Ｐｉｃｔｕｒｅ  Ｅｘｐｅｒｔｓ  Ｇｒｏｕｐ）など他のファイル形式を適用してもよい。
【００４６】
記録インターフェース（記録Ｉ／Ｆ）２５には、記録媒体２７を接続するためのコネクタが形成されている。記録インターフェース（記録Ｉ／Ｆ）２５は画像記録部２４ｂからの指示により、そのコネクタに接続された記録媒体２７にアクセスして画像の記録処理を行う。
【００４７】
＜電子カメラの動作説明＞
次に、第１実施形態における電子カメラ１の動作例を説明する。図５は、電子カメラ１の動作の一例を表すフローチャートである。このフローチャートは、電子カメラ１の電源がＯＮになり、ユーザが静止画撮影モードを選択すると開始される。ここでは、説明をわかりやすくするため、まず初めに、１枚の静止画像のみを撮影する単写撮影についての動作例を説明する。続いて、連写撮影を行う場合の動作例を説明する。
【００４８】
なお、以下の説明では、ユーザが第１アスペクト比を選択して撮影するモードがオンに設定されている状態を前提として説明を行う。
【００４９】
ステップＳ１０１：ＣＰＵ２４は、液晶表示モニタ２２に、第１アスペクト比（複数種類の撮影範囲のアスペクト比）を表示させる。ユーザにより第１アスペクト比が入力されると、操作部２３は、その第１アスペクト比を受付ける。そして、ステップＳ１０２へ移行する。
【００５０】
ステップＳ１０２：ＣＰＵ２４は、操作部２３が受付けた第１アスペクト比に基づいてシリンドリカルレンズ１０ｂを回転させるか否かを判定する。現在の第１アスペクト比が操作部２３で受付けた第１アスペクト比であって、第１アスペクト比を変更する必要がない場合は（ステップＳ１０２：Ｎｏ）、ステップＳ１０４に移行する。一方、現在の第１アスペクト比が操作部２３で受付けた第１アスペクト比と異なり、第１アスペクト比を変更する必要がある場合は（ステップＳ１０２：Ｙｅｓ）、ステップＳ１０３に移行する。
【００５１】
ステップＳ１０３：ＣＰＵ２４は、シリンドリカルレンズ制御部１２に指示を出し、操作部２３で受付けた第１アスペクト比になるように、シリンドリカルレンズ１０ｂの光軸に垂直な面内で、シリンドリカルレンズ１０ｂを０から９０度の範囲で回転させる。
【００５２】
図３（ａ）において、上述した通り、撮像素子１３の第２アスペクト比は、１．５４：１である。この場合、シリンドリカルレンズ１０ｂが縦位置（０度）であると、第１アスペクト比は、ワイド撮影（１６：９）になる。したがって、ワイド撮影（１６：９）の被写体像は、シリンドリカルレンズ１０ｂを介することで、第２アスペクト比の被写体像に圧縮される。そして、第２アスペクト比の被写体像が撮像素子１３の撮像面に結像する。すなわち、「１６：９」＝「１．７７７：１」となり、１．７７７を１．５４にするには、０．８６６を乗算すればよい。この場合、シリンドリカルレンズ１０ｂは撮影範囲を横方向に８６．６％圧縮する。図４（ａ）は、図３（ａ）におけるシリンドリカルレンズ１０ｂの配置と電子カメラ１の筐体との関係を表している。
【００５３】
図３（ｂ）は、第１アスペクト比が通常撮影（４：３）の場合における撮影を説明する図である。シリンドリカルレンズ制御部１２が、シリンドリカルレンズ１０ｂの光軸に垂直な面内で、シリンドリカルレンズ１０ｂを縦位置（０度）から９０度回転させて横位置（９０度）とすると、第１アスペクト比は４：３になる。図４（ｂ）は、図３（ｂ）におけるシリンドリカルレンズ１０ｂの配置と電子カメラ１の筐体との関係を表している。
【００５４】
この場合、通常撮影（４：３）の被写体像は、シリンドリカルレンズ１０ｂを介することで、第２アスペクト比の被写体像に圧縮される。そして、第２アスペクト比の被写体像が撮像素子１３の撮像面に結像する。すなわち、「４：３」＝「１．５４：１．１５５」となり、１．１５５を１にするには、０．８６６を乗算すればよい。この場合、シリンドリカルレンズ１０ｂは撮影範囲を縦方向に８６．６％圧縮する。
【００５５】
ステップＳ１０４：ＣＰＵ２４は、レリーズボタン２３ａが半押しされると、撮影レンズ制御部１１に指示を出して、撮影レンズ１０ａを駆動させる。撮影レンズ制御部１１は、自動焦点調節や自動露出制御などを行い、本画像の撮影に用いる撮影条件を設定する。続いて、ＣＰＵ２４は、レリーズボタン２３ａが全押しされると、不図示のメカニカルシャッタを開状態とし、タイミングジェネレータ１４を駆動させる。これにより、本画像の画像データを取得する。この場合、撮像素子１３の撮像面に結像した第２アスペクト比の画像データは、ＡＦＥ１５を通過してから画像処理部１６によりＲＡＭ１７のフレームメモリに記憶される。
【００５６】
図６は、第１アスペクト比の画像と第２アスペクト比の画像との対応関係を示す図である。第１アスペクト比（４：３）の画像（図６（ａ））は、縦方向に圧縮される（図６（ｂ））。また、第１アスペクト比（１６：９）の画像（図６（ｃ））は、横方向に圧縮される（図６（ｄ））。
【００５７】
ステップＳ１０５：ＣＰＵ２４の補間処理部２４ａは、ＲＡＭ１７のフレームメモリに記憶されている第２アスペクト比の画像を伸長する。すなわち、補間処理部２４ａは、ステップＳ１０４で得られた圧縮された画像を、シリンドリカルレンズ１０ｂの圧縮率に応じて伸長する。この伸長処理によって、補間処理部２４ａは、圧縮前の撮影範囲の画像に復元することができる。この伸長処理は、例えば、３次補間法と呼ばれている画像の補間方式（バイキュービック）を用いることにより実現される。ここで、図６を例にすると、補間処理部２４ａは、縦方向に圧縮された画像を（図６（ｂ））、第１アスペクト比（４：３）の撮影範囲の画像（図６（ａ））になるように伸張する。また、補間処理部２４ａは、横方向に圧縮された画像を（図６（ｄ））、第１アスペクト比（１６：９）の画像（図６（ｃ））になるように伸張する。
【００５８】
ステップＳ１０６：画像処理部１６は、ステップＳ１０５にて伸長処理された後の本画像のデータに対して、ホワイトバランス、階調変換処理など各種の画像処理を施す。
【００５９】
図７は、ステップＳ１０６で画像処理がされた後、液晶表示モニタ２２に表示された撮影画像の一例を示す図である。図７（ａ）では、液晶表示モニタ２２内でマスク２２ａ、２２ｂが施されて、第１アスペクト比（１６：９）の画像が表示される。また、図７（ｂ）では、液晶表示モニタ２２内でマスク２２ｃ、２２ｄが施されて、第１アスペクト比（４：３）の画像が表示される。
【００６０】
ステップＳ１０７：画像記録部２４ｂは、ステップＳ１０６にて画像処理が施された本画像のデータを記録媒体２７に記録する。そして、この処理ルーチンは終了する。
【００６１】
次に、連写撮影を行う場合の動作例を説明する。ただし、図５に示したフローチャートと同様の処理については簡略化して説明する。
【００６２】
図８は、電子カメラ１の連写撮影の一例を表すフローチャートである。このフローチャートは、電子カメラ１の電源がＯＮになると開始される。
【００６３】
なお、以下の説明では、連写撮影モードがオンに設定されている状態を前提として説明を行う。ここでは、第１アスペクト比１６：９が選択され、連写枚数が７枚指定されたものとして話を進める。また、シリンドリカルレンズ制御部１２は、静止画像が撮影されるたびに、ＣＰＵ２４の指示により、シリンドリカルレンズ１０ｂを１５度ずつ回転させるものとする。
【００６４】
ステップＳ２０１：ＣＰＵ２４は、操作部２３から連写撮影モードを受付けると、液晶表示モニタ２２に、第１アスペクト比（複数種類の撮影範囲のアスペクト比）を表示させる。ユーザにより第１アスペクト比が入力されると、操作部２３は、その第１アスペクト比を受付ける。そして、ステップＳ２０２へ移行する。
【００６５】
ステップＳ２０２：ＣＰＵ２４は、操作部２３が受付けた第１アスペクト比になるように、シリンドリカルレンズ１０ｂを回転させる。そして、ステップＳ２０３へ移行する。なお、現在の第１アスペクト比が操作部２３で受付けた第１アスペクト比であって、第１アスペクト比を変更する必要がない場合は、シリンドリカルレンズ１０ｂを回転させずにステップＳ２０３に移行する。
【００６６】
ステップＳ２０３：ＣＰＵ２４は、レリーズボタン２３ａが半押しされると、撮影レンズ制御部１１に指示を出して、撮影レンズ１０ａを駆動させる。撮影レンズ制御部１１は、自動焦点調節や自動露出制御などを行い、本画像の撮影に用いる撮影条件を設定する。続いて、ＣＰＵ２４は、レリーズボタン２３ａが全押しされると、連写撮影が開始される。まず、ＣＰＵ２４は、不図示のメカニカルシャッタを開状態とし、タイミングジェネレータ１４を駆動させる。これにより、本画像の画像データを取得する。ＣＰＵ２４は、不図示のメカニカルシャッタを閉状態とする。そして、ステップＳ２０４に移行する。
【００６７】
ステップＳ２０４：ＣＰＵ２４は、撮像素子１３の撮像面に結像した第２アスペクト比の画像データを、ＲＡＭ１７のフレームメモリに記憶させる。
【００６８】
ステップＳ２０５：ＣＰＵ２４は、指定された連写枚数の撮影を実行したか判定する。指定された連写枚数に達していない場合（ステップＳ２０５：Ｎｏ）、ステップＳ２０６に移行する。一方、指定された連写枚数に達した場合（ステップＳ２０５：Ｙｅｓ）、ステップＳ２０７に移行する。
【００６９】
ステップＳ２０６：ＣＰＵ２４は、シリンドリカルレンズ制御部１２に指示を出し、シリンドリカルレンズ１０ｂを１５度回転させる。そして、ステップＳ２０３の撮影の処理に戻る。
【００７０】
ステップＳ２０７：ＣＰＵ２４の補間処理部２４ａは、図５に示すステップＳ１０５と同様、ＲＡＭ１７のフレームメモリに記憶されている第２アスペクト比の画像を伸長する。
【００７１】
ステップＳ２０８：画像処理部１６は、ステップＳ２０７にて伸長処理された後の本画像のデータに対して、ホワイトバランス、階調変換処理など各種の画像処理を施す。
【００７２】
図９及び図１０は、連写撮影時の静止画像とシリンドリカルレンズ１０ｂとの関係を説明する図である。上述した通り、電子カメラ１の下面１１とシリンドリカルレンズ１０ｂの下面１００ｂが平行な位置関係にあるとき、シリンドリカルレンズ１０ｂが縦位置にあるとする。この状態を基準として、シリンドリカルレンズ制御部１２は、不図示の回転機構により、シリンドリカルレンズ１０ｂの光軸に垂直な面内で、シリンドリカルレンズ１０ｂを、電子カメラ１を正面から見て時計回りに０から１５度ずつ回転させる（図９（ａ）〜（ｄ）及び、図１０（ｅ）〜（ｇ））。
【００７３】
このようにして、連写撮影された７枚の静止画像はＲＡＭ１７のフレームメモリに記憶される。そして、画像処理部１６は、連写撮影された静止画像に対して、図５に示したステップＳ１０６と同様の画像処理を施す。
【００７４】
ステップＳ２０９：ＣＰＵ２４の指示により画像処理部１６は、ステップＳ２０８で画像処理が施された後の静止画像から、複数の縮小画像からなるサムネイル画像を作成する。続いて、ＣＰＵ２４の指示により、ビデオエンコーダ２１は液晶表示モニタ２２上にサムネイル画像を表示させる。
【００７５】
図１１は、液晶表示モニタ２２上に表示されたサムネイル画像の一例の図である。図１１に示すように、第１アスペクト比の異なる７枚のサムネイル画像が表示される。
【００７６】
ステップＳ２１０：ＣＰＵ２４の画像記録部２４ｂは、操作部２３より、ユーザ操作により受付けたサムネイル画像のもととなる本画像の保存に関する有無のコマンドを受付ける。本画像を保存しない場合には（ステップＳ２１０：Ｎｏ）、この処理ルーチンは終了する。
【００７７】
一方、本画像を保存する場合には（ステップＳ２１０：Ｙｅｓ）、ステップＳ２１１に移行する。
【００７８】
ステップＳ２１１：画像記録部２４ｂは、サムネイル画像のうち全部若しくは任意の画像の保存コマンドをユーザ操作により受付ける。そして、ステップＳ２１２に移行する。
【００７９】
ステップＳ２１２：画像記録部２４ｂは、ユーザ操作により受付けた、サムネイル画像のもととなる本画像のうち全部若しくは任意の画像を記録媒体２７に記録する。そして、この処理ルーチンは終了する。
【００８０】
以上より、本実施形態の電子カメラ１は、連写撮影の撮影時に第１アスペクト比を容易に切り替えて撮影することができる。これにより、ユーザの利便性が向上する。
【００８１】
（第２実施形態）
＜電子カメラの構成の説明＞
次に、本発明の第２実施形態について説明する。なお、本発明の第１実施形態と本発明の第２実施形態とでは、同じ要素については同じ符号を付して説明を省略する。ここで、電子カメラ１は、連写撮影モードと動画撮影モードとを兼用できる構成になっている。
【００８２】
したがって、本発明の第２実施形態は、図２に示した電子カメラ１の構成のブロック図と同様であるので兼用する。動画撮影モードでは、フレーム単位（１枚の静止画像）で、第１アスペクト比とシリンドリカルレンズ１０ｂの回転角度とからなる識別情報を画像データのヘッダファイルに追加して記録する。これにより、補間処理部２４ｂでは、第１アスペクト比とシリンドリカルレンズ１０ｂの識別情報に基づいて、ＲＡＭ１７のフレームメモリに一時記憶されている画像データから低解像度のスルー画像データを生成する。このスルー画像データ（ＹＣ信号）は、ビデオエンコーダ２１でＲＧＢ信号のスルー画像データに変換される。そして、液晶表示モニタ２２上ではスルー画像（ＲＧＢ信号）が表示される。
【００８３】
一方、画像記録部２４ｂは、補間処理部２４ｂで伸張され、画像処理が施されたフレーム（ＹＣ信号の画像データ）を記録媒体２７に順次記録していく。なお、１秒間に撮影するフレーム数（フレームレート）は、一例として、３０フレームとする。
【００８４】
＜電子カメラの動作説明＞
次に、第２実施形態における電子カメラ１の動作例を説明する。
【００８５】
図１２は、動画撮影モードの一例を表す概念図である。説明をわかりやすくするため、この動画撮影モードでは、電子カメラ１のシリンドリカルレンズ１０ｂを図４（ｂ）に示す横位置で撮影を開始する。つまり、第１アスペクト比４：３で動画撮影を行う。その後、所定時間経過ごとに、シリンドリカルレンズ１０ｂを回転させることにより第１アスペクト比を変更させる（詳細は後述する）。そして、最終的に、電子カメラ１のシリンドリカルレンズ１０ｂを図４（ａ）に示す縦位置の状態に移行させる。したがって、撮影画面は、図１２に示すように第１アスペクト比４：３から第１アスペクト比１６：９へと時間とともに変化していく。こうすることで、今までには得られなかった撮影効果を得ることができる（詳細は後述する）。
【００８６】
実際の動画撮影としては、競馬のレースの動画撮影を例にして説明を以下行う。なお、これは一例であって動画撮影モードが、以下に説明する、図１４、図１５及び図１８に示すフローチャートに限定されるものではない。
【００８７】
図１３は、競馬場での動画撮影の一例を模式的に表した図である。これから説明する動画撮影では、ユーザが、レース開始後、スタート地点Ａからゴール地点Ｇまでのレース展開を追いながら動画撮影するものとする。この場合、競馬場１００で行われるレースは平均時間約２分で終了するものとする。この動作撮影モードでは、シリンドリカルレンズ制御部１２が、ＣＰＵ２４の指示によりシリンドリカルレンズ１０ｂを横位置（９０度）から２０秒ごとに１５度回転させて行き、最終的に縦位置（０度）にするものとする。ここでは、２０秒ごとに訪れる、シリンドリカルレンズ１０ｂの回転操作の時刻を回転設定時刻とする。なお、時間経過については、不図示のタイマによりカウントされるものとする。また、ユーザは適宜ズーム撮影などを行いながら撮影しているものとする。
【００８８】
また、この競馬場１００には、大型の表示モニタ１０１が配備されている。この表示モニタには、レース中の動画が映し出される。
【００８９】
図１４は、動画撮影時における電子カメラ１の動作の一例を表すフローチャートである。このフローチャートは、電子カメラ１の電源がＯＮになり、ユーザが動画撮影モードを選択すると開始される。
【００９０】
ステップＳ３０１：ＣＰＵ２４は、操作部２３から動画撮影モードを受付けると、液晶表示モニタ２２に、撮影条件等を表示する。これにより、ユーザは、図１（ｂ）に示すメニュー切替・実行キー２３ｆで、例えば、動画撮影開始時の第１アスペクト比や何秒ごとに第１アスペクト比を変更するか等の撮影条件を入力することができる。撮影条件を受付けると、ステップＳ３０２へ移行する。この撮影条件は上述した通りとする。
【００９１】
ステップＳ３０２：ＣＰＵ２４は、操作部２３が受付けた第１アスペクト比になるように、シリンドリカルレンズ１０ｂを回転させる。そして、ステップＳ３０３へ移行する。
【００９２】
なお、現在の第１アスペクト比が操作部２３で受付けた第１アスペクト比であって、第１アスペクト比を変更する必要がない場合は、シリンドリカルレンズ１０ｂを回転させずにステップＳ３０３に移行する。
【００９３】
ステップＳ３０３：ＣＰＵ２４は、１フレーム単位で行われる動画撮影のサブルーチンを実行する（詳細は後述する）。
【００９４】
ステップＳ３０４：ＣＰＵ２４は、シリンドリカルレンズ１０ｂの回転設定時刻に達しているか否か、若しくは、動画撮影を終了させる終了コマンドを受付けたか否かの判定を行う。回転設定時刻に達していない、若しくは終了コマンドを受付けていない場合（ステップＳ３０４：Ｎｏ）、ステップＳ３０３に戻り、次のフレームを読み出す。一方、回転設定時刻に達している、若しくは終了コマンドを受付けた場合（ステップＳ３０４：Ｙｅｓ）、ステップＳ３０５に移行する。
【００９５】
ステップＳ３０５：ＣＰＵ２４は、終了コマンドを受付けたか否かを判定する。ＣＰＵ２４は、終了コマンドを受付けていない場合（ステップＳ３０５：Ｎｏ）、ステップＳ３０６に移行する。一方、ＣＰＵ２４は、終了コマンドを受付けた場合（ステップＳ３０５：Ｙｅｓ）、この処理ルーチンは終了する。
【００９６】
ステップＳ３０６：ＣＰＵ２４は、シリンドリカルレンズ制御部１２を介して、シリンドリカルレンズ１０ｂを１５度回転させる。そして、ステップＳ３０３に戻り、次のフレームを読み出す。
【００９７】
この動画撮影では３０フレームレートで行っている。そのため、シリンドリカルレンズ制御部１２は、約６００フレーム（２０秒ｘ３０フレーム／秒）ごとにシリンドリカルレンズ１０ｂを１５度回転させることとなる。
【００９８】
次にステップＳ３０３の動画撮影のサブルーチンについて説明する。
【００９９】
図１５は、ステップＳ３０３の動画撮影のサブルーチンである。
【０１００】
ステップＳ４０１：画像処理部１６は、ＡＦＥ１５が出力する１フレームの画像データをＲＡＭ１７のフレームメモリに記憶させる。
【０１０１】
ステップＳ４０２：ＣＰＵ２４は、動画撮影用のフォーマットとして、フレーム単位で、第１アスペクト比とシリンドリカルレンズ１０ｂの回転角度とからなる識別情報を作成し、フレームの画像データのヘッダファイルに追加して記録する。
【０１０２】
ステップＳ４０３：ＣＰＵ２４の補間処理部２４ａは、ＲＡＭ１７のフレームメモリに記憶されている第２アスペクト比の画像を識別情報に基づいて伸長する。
【０１０３】
ステップＳ４０４：ＣＰＵ２４は、ステップＳ４０３で補間処理された画像データに対してホワイトバランス補正処理、ゲインコントロール処理などの画像処理を施す。
【０１０４】
ステップＳ４０５：ＣＰＵ２４は、ビデオエンコーダ２１に指示を出すことにより、ビデオエンコーダ２１は、ＹＣ信号をＲＧＢ信号に変換する。ＶＲＡＭ２０では、低解像度のスルー画像データが、Ａ領域、Ｂ領域へと交互に記憶される。ＶＲＡＭ２０に記憶された低解像度なスルー画像データは、古い時刻に記憶されたスルー画像データから先に、ビデオエンコーダ２１を介して液晶表示モニタ２２に伝えられ、液晶表示モニタ２２上ではスルー画像が表示される。
【０１０５】
ステップＳ４０６：画像記録部２４ｂは、記録媒体２７に１フレームの画像データを記録する。そして、このサブルーチンを終了し、図１４に示すフローチャートのステップＳ３０４に戻る。
【０１０６】
図１６、図１７は動画撮影時におけるシリンドリカルレンズ１０ｂと撮影画面との関係を説明する図である。
【０１０７】
図１６（ａ）では、スタート地点Ａ付近を動画撮影しているときの１コマを液晶表示モニタ２２に表示している。この液晶表示モニタ２２には、第１アスペクト比（４：３）の画像が表示されている。また、このときのシリンドリカルレンズ１０ｂ配置は、横位置（９０度）である。
【０１０８】
この場合、スタート直後であるため、競走馬同士はまだ離れていない。すると、ユーザにとっては、第１アスペクト比４：３の撮影画面の方が第１アスペクト比１６：９の撮影画面より、レース展開が見やすい。
【０１０９】
図１６（ｂ）では、地点Ｂ付近を動画撮影しているときの１コマを液晶表示モニタ２２に表示している。また、このときのシリンドリカルレンズ１０ｂ配置は、横位置（９０度）から１５度反時計回りに回転している（縦位置を０度とした場合の７５度に相当する）。
【０１１０】
図１６（ｃ）では、地点Ｃ付近を動画撮影しているときの１コマを液晶表示モニタ２２に表示している。また、このときのシリンドリカルレンズ１０ｂ配置は、横位置（９０度）から３０度反時計回りに回転している（縦位置を０度とした場合の６０度に相当する）。
【０１１１】
地点Ｂ付近や地点Ｃ付近では、まだ、第１アスペクト比１６：９にするよりも第１アスペクト比４：３の方がレース展開が見えやすい傾向にある。
【０１１２】
図１６（ｄ）では、地点Ｄ付近を動画撮影しているときの１コマを液晶表示モニタ２２に表示している。また、このときのシリンドリカルレンズ１０ｂ配置は、横位置（９０度）から４５度反時計回りに回転している（縦位置を０度とした場合の４５度に相当する）。
【０１１３】
地点Ｄになると、最終コーナーのカーブに入り、競走馬が横並びの撮影画像が得られる。この場合、第１アスペクト比２２：１３の画面になり、第１アスペクト比４：３に比べ、縦が縮み、横が伸びた画像が得られる。そのため、競走馬の横並びの状況が見やすく、臨場感のある撮影画像が得られる。
【０１１４】
図１７（ｅ）では、地点Ｅ付近を動画撮影しているときの１コマを液晶表示モニタ２２に表示している。また、このときのシリンドリカルレンズ１０ｂ配置は、横位置（９０度）から６０度反時計回りに回転している（縦位置を０度とした場合の３０度に相当する）。
【０１１５】
図１７（ｆ）では、地点Ｆ付近を動画撮影しているときの１コマを液晶表示モニタ２２に表示している。また、このときのシリンドリカルレンズ１０ｂ配置は、横位置（９０度）から７５度反時計回りに回転している（縦位置を０度とした場合の１５度に相当する）。
【０１１６】
地点Ｅ付近や地点Ｆ付近では、先頭集団が抜け出してくるため、横長の画像（第１アスペクト比１６：９）の方が第１アスペクト比４：３よりも見やすくなる。
【０１１７】
図１７（ｇ）では、ゴール地点Ｇを動画撮影しているときの１コマを液晶表示モニタ２２に表示している。また、このときのシリンドリカルレンズ１０ｂ配置は、横位置（９０度）から９０度反時計回りに回転している（縦位置の０度に相当する）。第１アスペクト比１６：９になると、他の競走馬との関係がわかりやすくなるので最後のゴールシーンが見やすくなる。
【０１１８】
以上より、ユーザが動画撮影中に第１アスペクト比を切り替えて撮影すると、演出効果が加えられた動画を得ることができる。
【０１１９】
なお、上述した実施形態では、シリンドリカルレンズ制御部１２は、シリンドリカルレンズ１０ｂを間欠的に回転したが、例えば、シリンドリカルレンズ１０ｂを連続的に回転してもよい。この場合、例えば、平均時間が約２分間の競馬のレースにおいて、シリンドリカルレンズを０度から９０度回転させるとすると、シリンドリカルレンズ１０ｂの回転スピードは約０．７５度／秒にすることが好ましい。なお、これは、一例であって、この回転スピードに限定されるものではない。また、電子カメラ１で撮影した動画を図１３に示す大型の表示モニタに映し出せるようにしてもよい。
【０１２０】
次に、動画の再生について説明する。
【０１２１】
図１８は、動画再生時における電子カメラ１の動作の一例を表すフローチャートである。
【０１２２】
このフローチャートは、ユーザが動画再生を選択し、操作部２３からＣＰＵ２４が動画再生のコマンドを受付けると開始する。ここでは、記録媒体２７に記録されている動画ファイルが読み出されて、ＲＡＭ１７のフレームメモリに格納されているものとして話を進める。動画ファイルは、上述した、競馬のレースの動画ファイルとする。
【０１２３】
ステップＳ５０１：ＣＰＵ２４は、ＲＡＭ１７のフレームメモリから１フレームの画像データを読み出す。
【０１２４】
ステップＳ５０２：ＣＰＵ２４は、さらに、読み出したフレームの画像データから、第１アスペクト比とシリンドリカルレンズ１０ｂの回転角度の識別情報を読み出す。
【０１２５】
ステップＳ５０３：ＣＰＵ２４は、上記識別情報に基づいて、１フレームの画像を液晶表示モニタ２２に表示させる。
【０１２６】
ステップＳ５０４：ＣＰＵ２４は、読み出されたフレームが最後のフレームか否かを判定する。最後のフレームでない場合（ステップＳ５０４：Ｎｏ）、ステップＳ５０１に戻り、ＣＰＵ２４は、次の１フレーム読み出す。一方、最後のフレームである場合（ステップＳ５０４：Ｙｅｓ）、この処理ルーチンは終了する。
【０１２７】
以上より、動画再生時においても、第１アスペクト比が自動的に切り替わり、演出効果が加えられた動画を見ることができる。
【０１２８】
以上より、本実施形態の電子カメラ１は、動画再生時に第１アスペクト比を容易に切り替えて再生することができる。これにより、演出効果が高められた動画を得ることができ、ユーザの利便性が向上する。
【０１２９】
（第３実施形態）
＜電子カメラの構成の説明＞
次に、本発明の第３実施形態について説明する。なお、本発明の第１実施形態と本発明の第３実施形態とでは、同じ要素については同じ符号を付して説明を省略する。
【０１３０】
第３実施形態では、ユーザが、電子カメラを横長に構えて撮影する横位置撮影から電子カメラを縦長に構えて撮影する縦位置撮影に変えるとき（または、縦位置撮影から横位置撮影、以下「縦／横位置撮影モード」という）、後述する図１９に示すシリンドリカルレンズ制御部１２が、電子カメラの姿勢変化に拘わらず、後述する図２２に示すシリンドリカルレンズ１０ｂの下面１００ｂを重力方向と垂直になる姿勢に保つように制御する。以下、具体的に説明する。
【０１３１】
図１９は、第３実施形態の電子カメラの構成を示すブロック図である。図１９に示す電子カメラ２は、図２に示す電子カメラ１と比較して、新たに、角度演算部２４ｃと加速度センサ２８とが追加されている。
【０１３２】
この加速度センサ２８は、３次元方向（相互に直交するＸ軸、Ｙ軸、Ｚ軸の３軸方向）の加速度を計測するセンサである。この加速度センサ２８は、重力加速度を利用して、電子カメラ２の傾きを検出することができる。
【０１３３】
角度演算部２４ｃは、加速度センサ２８検出結果に基づいてシリンドリカルレンズ１０ｂの下面１００ｂと重力方向とのなす角度を算出する。そして、シリンドリカルレンズ制御部１２が、シリンドリカルレンズ１０ｂの下面１００ｂを重力方向と垂直になる姿勢に保つように制御する（詳細は以下説明する）。
【０１３４】
また、第３実施形態のＣＰＵ２４は、補間処理部２４ａ、画像記録部２４ｂ及び角度演算部２４ｃとして機能する。
【０１３５】
＜電子カメラの動作説明＞
次に、第３実施形態の電子カメラ２の動作を説明する。図２０は、電子カメラ２の動作の一例を表すフローチャートである。図２１は、シリンドリカルレンズ１０ｂの姿勢制御の一例を表すフローチャートである。
【０１３６】
第３実施形態の電子カメラ２では、動画撮影の処理ルーチンとシリンドリカルレンズ１０ｂの姿勢制御の処理ルーチンとが並列に実行される。すなわち、ユーザが動画撮影中に電子カメラ２の姿勢を変えると、シリンドリカルレンズ１０ｂの姿勢制御の処理ルーチンによって、シリンドリカルレンズ制御部１２が、シリンドリカルレンズ１０ｂの下面１００ｂを重力方向と垂直になる姿勢に保つように制御する。以下、具体的に説明する。
【０１３７】
図２０に示す、電子カメラ２の動作の一例を表すフローチャートは、ユーザが操作部２３で動画撮影を選択実行すると、開始される。なお、ユーザは、電子カメラ２を横位置撮影に構えているものとして話を進める。
【０１３８】
ステップＳ６０１：ＣＰＵ２４は、操作部２３から動画撮影モードを受付けると、液晶表示モニタ２２に、撮影条件等を表示する。これにより、ユーザは、図１（ｂ）に示すメニュー切替・実行キー２３ｆで、縦／横位置撮影モードの撮影条件を入力することができる。縦／横位置撮影モードの撮影条件が入力されると、ステップＳ６０２へ移行する。また、縦／横位置撮影モードの撮影条件が入力されると、シリンドリカルレンズ１０ｂの姿勢制御の処理ルーチンが開始される（詳細は後述する）。
【０１３９】
ステップＳ６０２：ＣＰＵ２４は、動画撮影のサブルーチンを実行する。このサブルーチンは上述した図１５に示す内容と同じであるため説明を省略する。
【０１４０】
ステップＳ６０３：ＣＰＵ２４は、動画撮影を終了させる終了コマンドを受付けたか否かを判定する。ＣＰＵ２４は、終了コマンドを受付けていない場合（ステップＳ６０３：Ｎｏ）、ステップＳ６０２に戻り、次のフレームを読み出す。一方、ＣＰＵ２４は、終了コマンドを受付けた場合（ステップＳ６０３：Ｙｅｓ）、この処理ルーチンは終了する。
【０１４１】
次に、図２１に示す、シリンドリカルレンズ１０ｂの姿勢制御の一例を表すフローチャートについて説明する。
【０１４２】
ステップＳ７０１：ＣＰＵ２４は、図２０のステップＳ６０１にて操作部２３より縦／横位置撮影モードを受付けることにより、縦／横位置撮影モードの設定を行う。ＣＰＵ２４は、シリンドリカルレンズ制御部１２から現在のシリンドリカルレンズ１０ｂの角度情報を取得する。
【０１４３】
ステップＳ７０２：ＣＰＵ２４は、加速度センサ２８をＯＮにする。すると、加速度センサ２８が電子カメラ２の傾きの検出を開始する。
【０１４４】
図２２は、シリンドリカルレンズ１０ｂの下面１００ｂと電子カメラ２の筐体との位置関係を説明する図である。説明をわかりやすくするため、図２２（ａ）に示す通り、電子カメラ２の下面１１とシリンドリカルレンズ１０ｂの下面１００ｂとが重力方向に対して垂直であるとする。なお、ｘｙｚ座標系でｚ方向を重力の向きとする。ｇは、重力方向の向きを表しており、ａは、シリンドリカルレンズ１０ｂの下面１００ｂの向きを表している。図２２（ａ）において、シリンドリカルレンズ１０ｂは図３（ａ）に示す縦位置（０度、第１アスペクト比１６：９）の状態になっている。そのため、エンコーダ１２ａは、シリンドリカルレンズ１０ｂの角度として０度を検出する。図２２（ｂ）、（ｃ）については、ステップＳ７０４で説明する。
【０１４５】
ステップＳ７０３：ＣＰＵ２４は、電子カメラ２の傾きに変化（姿勢変更）があるか否かを判定する。ユーザ操作により電子カメラ２の姿勢変更がなされない場合は（ステップＳ７０３：Ｎｏ）、ステップＳ７０５に移行する。一方、ユーザ操作により電子カメラ２の姿勢変更がなされた場合は（ステップＳ７０３：Ｙｅｓ）、ステップＳ７０４に移行する。
【０１４６】
ステップＳ７０４：ＣＰＵ２４の角度演算部２４ｃは、加速度センサ２８の検出結果に基づいてシリンドリカルレンズ１０ｂの下面１００ｂと重力方向ｇとのなす角度を算出する。続いて、シリンドリカルレンズ制御部１２は、シリンドリカルレンズ１０ｂの下面１００ｂを重力方向ｇと垂直になる姿勢に保つように制御する。具体的に図２２を例にして説明する。
【０１４７】
図２２（ｂ）は、比較例であって、横位置撮影から縦位置撮影に変化した場合、シリンドリカルレンズ制御部１２が、シリンドリカルレンズ１０ｂの姿勢制御を行わない場合の図を表している。この場合、シリンドリカルレンズ１０ｂの下面１００ｂと重力方向ｇとのなす角度は１８０度となる。すると、依然として第１アスペクト比は、１６：９のままであり、ユーザにとっては使い勝手が悪くなる。これは一般に、縦位置撮影時には細長い画面の構図を用いることは少ない（と思われる）ためである。
【０１４８】
そこで、図２２（ａ）に示す横位置撮影の電子カメラ２の筐体を正面から見て時計回りに９０度回転させるとき、シリンドリカルレンズ制御部１２は、シリンドリカルレンズ１０ｂの下面１００ｂを重力方向ｇと垂直になる姿勢に保つように制御する。この制御方法として、例えばシリンドリカルレンズ制御部１２は、シリンドリカルレンズ１０ｂの下面１００ｂを重力方向ｇと垂直になる姿勢に保つように、シリンドリカルレンズ１０ｂを反時計回りに回転させる。
【０１４９】
これにより、図２２（ｃ）に示すように、電子カメラ２の下面１１と重力方向ｇとのなす角度は１８０度となる。しかしながら、シリンドリカルレンズ１０ｂの下面１００ｂと重力方向ｇとのなす角度は９０度を維持する。その結果、縦位置撮影において第１アスペクト比は１６：９から４：３になる。こうすると、ユーザにとっては使い勝手が良くなる。
【０１５０】
ステップＳ７０５：ＣＰＵ２４は、動画撮影を終了させる終了コマンドを受付けたか否かを判定する。ＣＰＵ２４は、終了コマンドを受付けていない場合（ステップＳ７０５：Ｎｏ）、ステップＳ７０３に戻る。一方、ＣＰＵ２４は、終了コマンドを受付けた場合（ステップＳ７０５：Ｙｅｓ）、この処理ルーチンは終了する。
【０１５１】
図２３は、縦／横位置撮影モードにおける動画の１フレームを液晶表示モニタ２２に表示させた場合の一例図である。なお、各部の符号の付与は、図１（ｂ）と同じであるので、ここでは省略する。
【０１５２】
図２３（ａ）は、横位置撮影における（第１アスペクト比１６：９）動画の１フレームを表している。図２３（ａ）では、富士山Ｆを背景に初日の出の太陽Ｓが昇るシーンの動画を撮影しているものとする。この場合、横位置撮影であれば、初日の出の太陽Ｓと富士山Ｆとが画面に入り、好ましい動画が得られる。ここで、この動画を撮影中、ユーザが、横位置撮影から縦位置撮影に変更した場合について以下述べる。
【０１５３】
図２３（ｂ）は、横位置撮影から縦位置撮影に変更したときの動画の１フレームを表している。図２３（ｂ）では、ユーザの近くにいる知人Ａが、新年のメッセージの会話をしているシーンの動画を撮影しているものとする。この場合、ユーザは、第１アスペクト比をマニュアルで設定し直す必要がなく、自動的に第１アスペクト比４：３の動画が得られる。図２３（ｂ）では、知人Ａの動画撮影の場合、第１アスペクト比１６：９に比べて第１アスペクト比４：３である方がより良い動画が得られる。
【０１５４】
以上より、本実施形態の電子カメラ２では、横位置撮影から縦位置撮影に切り替えても、自動的に第１アスペクト比が１６：９から４：３になるので、ユーザにとって利便性が向上する。
【０１５５】
＜実施形態の補足事項＞
本実施形態の電子カメラ１で撮影した動画ファイルを携帯電話で再生する場合について、以下に示す実施形態が考えられる。
【０１５６】
図２４は、本実施形態の電子カメラ１で撮影した動画ファイルを携帯電話３で再生する場合の一例を表す概念図である。この携帯電話３には、本実施形態の電子カメラ１で撮影した動画ファイルを再生するプログラムが組み込まれている。図２５は、携帯電話３の正面図である。
【０１５７】
図２５に示す携帯電話３は、互いに開閉自在な上部筐体３１と下部筐体３２とから構成されている。上部筐体３１には、画像を表示する液晶表示モニタ３１１が設けられている。また、下部筐体３２には電話番号や各種モードの設定などに用いられる各種キーが設けられている。さらに、上部筐体３１は、図２５（ａ）に示す縦位置から図２５（ｂ）に示す横位置に切り替わることができる。
【０１５８】
本実施形態の電子カメラ１で撮影した動画を再生する場合、この携帯電話３は、フレームの第１アスペクト比に応じて、上部筐体３１を横位置と縦位置に自在に切り替えることができる。
【０１５９】
ここでは、本実施形態の電子カメラ１で撮影した動画ファイルの一例として映画を取り上げて以下説明する。図２５は、映画の撮影シーンの一部を表しており、主人公が車に乗って、海岸に行き、そこで、水平線に沈む夕日を眺めることとする。この場合、この動画ファイルでは、主人公が車に乗って海岸に行くシーンは、第１アスペクト比４：３の複数のフレームで構成されている。また、主人公が、水平線に沈む夕日を眺めるシーンは、第１アスペクト比１６：９の複数のフレームで構成されている。そこで、第１アスペクト比４：３のフレームから、第１アスペクト比１６：９のフレームに切り替わるとき、携帯電話内部のＣＰＵ（不図示）の指示により、携帯電話３の上部筐体３１は、縦位置から横位置に切り替わる。
【０１６０】
図２５（ａ）は、主人公が車に乗って、海岸に行くワンシーンを表している。図２５（ｂ）は、水平線に沈む夕日のワンシーンを表している。ここで、第１アスペクト比の切り替えに連動して、上部筐体３１が縦位置から横位置に自動的に切り替わるので、ユーザは撮影効果をより味わうことができる。
【０１６１】
なお、実施形態の補足事項では、本実施形態の電子カメラ１で撮影した動画ファイルを再生する場合、携帯電話３を例にして取り上げたが、携帯電話３に限られず、表示モニタを横位置と縦位置に自在に切り替え可能な表示装置を備えたパーソナルコンピュータであってもよい。また、本実施形態の電子カメラ１を携帯電話に搭載し、動画撮影や連写撮影を行ってもよい。
【図面の簡単な説明】
【０１６２】
【図１】第１実施形態の電子カメラ１の正面図及び背面図
【図２】第１実施形態の電子カメラ１の構成を示すブロック図
【図３】第１アスペクト比とシリンドリカルレンズ１０ｂとの関係を説明する図
【図４】シリンドリカルレンズ１０ｂの配置と電子カメラ１の筐体との関係を説明する図
【図５】電子カメラ１の動作の一例を表すフローチャート
【図６】第１アスペクト比の画像と第２アスペクト比の画像との対応関係を示す図
【図７】図５のステップＳ１０６で画像処理がされた後、液晶表示モニタ２２に表示された撮影画像の一例を示す図
【図８】電子カメラ１の連写撮影の一例を表すフローチャート
【図９】連写撮影時の静止画像とシリンドリカルレンズ１０ｂとの関係を説明する図
【図１０】連写撮影時の静止画像とシリンドリカルレンズ１０ｂとの関係を説明する図
【図１１】液晶表示モニタ２２上にサムネイル画像を表示した一例の図
【図１２】動画撮影モードの一例を表す概念図
【図１３】競馬場での動画撮影の一例を模式的に表した図
【図１４】動画撮影時における電子カメラ１の動作の一例を表すフローチャート
【図１５】図１４のステップＳ３０３の動画撮影のサブルーチン
【図１６】動画撮影時におけるシリンドリカルレンズ１０ｂと撮影画面との関係を説明する図
【図１７】動画撮影時におけるシリンドリカルレンズ１０ｂと撮影画面との関係を説明する図
【図１８】動画再生時における電子カメラ１の動作の一例を表すフローチャート
【図１９】第３実施形態の電子カメラ２の構成を示すブロック図
【図２０】電子カメラ２の動作の一例を表すフローチャート
【図２１】シリンドリカルレンズ１０ｂの姿勢制御の一例を表すフローチャート
【図２２】シリンドリカルレンズ１０ｂの下面１００ｂと電子カメラ２の筐体との位置関係を説明する図
【図２３】横位置撮影及び縦位置撮影における撮影画像の一例を表した図
【図２４】第１実施形態の電子カメラ１で撮影した動画ファイルを携帯電話３で再生する場合の一例を表す概念図
【図２５】携帯電話３の正面図
【符号の説明】
【０１６３】
１、２・・・電子カメラ、１０ｂ・・・シリンドリカルレンズ、１２・・・シリンドリカルレンズ制御部、１３・・・撮像素子、３・・・携帯電話、２４ａ・・・補間処理部、２４ｂ・・・画像記録部、２４ｃ・・・角度演算部、２８・・・加速度センサ
【図１】
2009200792.tif 000003
【図２】
2009200792.tif 000004
【図３】
2009200792.tif 000005
【図４】
2009200792.tif 000006
【図５】
2009200792.tif 000007
【図８】
2009200792.tif 000008
【図１２】
2009200792.tif 000009
【図１３】
2009200792.tif 000010
【図１４】
2009200792.tif 000011
【図１５】
2009200792.tif 000012
【図１６】
2009200792.tif 000013
【図１７】
2009200792.tif 000014
【図１８】
2009200792.tif 000015
【図１９】
2009200792.tif 000016
【図２０】
2009200792.tif 000017
【図２１】
2009200792.tif 000018
【図２２】
2009200792.tif 000019
【図２３】
2009200792.tif 000020
【図２４】
2009200792.tif 000021
【図２５】
2009200792.tif 000022
【図６】
2009200792.tif 000023
【図７】
2009200792.tif 000024
【図９】
2009200792.tif 000025
【図１０】
2009200792.tif 000026
【図１１】
2009200792.tif 000027